(57)【要約】【課題】本発明は、ＰＣに送信用ソフトウェアのインストールが不要で、ＰＣから出力されたディスプレイ用画像データを複数のディスプレイに配信できるＰＣ画像配信設備を提供することを目的とする。【解決手段】ＰＣ１およびＬＡＮケーブル８に接続され、ＰＣ１から出力されたディスプレイ用画像データを、ＬＡＮパケットに変換してＬＡＮケーブル８へ出力する送信機３を備え、ＰＣ画像表示エリア４のディスプレイ６毎に、ＬＡＮケーブル８およびディスプレイ６に接続され、送信機３よりＬＡＮケーブル８を介して入力したＬＡＮパケットをアナログの画像データに変換してディスプレイ６へ出力する受信機５を備える。上記構成により、ＰＣ１と送信機３と受信機５とディスプレイ６をハード的に接続するだけで、ＰＣ１から出力されたディスプレイ用画像を、複数のディスプレイ６に表示できる。【選択図】図１
2008293224.tif 000002
【特許請求の範囲】
【請求項１】
ＰＣから出力された画像データをケーブルを介して１台または複数のディスプレイに表示させるＰＣ画像配信設備であって、
前記ＰＣおよび前記ケーブルに接続され、前記ＰＣから出力された画像データを、データ転送パケットに変換して前記ケーブルへ出力する送信機を備え、
前記ディスプレイ毎に、前記ケーブルおよび前記ディスプレイに接続され、前記送信機よりケーブルを介して入力したデータ転送パケットを画像データに変換して前記ディスプレイ出力する受信機を備えること
を特徴とするＰＣ画像配信設備。
【請求項２】
前記送信機に、前記ＰＣから出力された画像データを表示する前記受信機または受信機群のアドレスを設定する設定スイッチを設け、
前記受信機に、前記送信機から送信された画像データを受信するアドレスを設定する設定スイッチを設けたこと
を特徴とする請求項１に記載のＰＣ画像配信設備。
【請求項３】
前記送信機に、前記ＰＣから出力された画像データをデータ転送パケットに変換するＦＰＧＡを設け、
前記受信機に、前記送信機よりケーブルを介して入力したデータ転送パケットを画像データに変換するＦＰＧＡを設けたこと
を特徴とする請求項１または請求項２に記載のＰＣ画像配信設備。
【請求項４】
前記送信機は、データ転送パケットに変換する際に、入力した画像データが前回の画像データより変化した差分を求めデータ転送パケットとして出力し、
前記受信機は、入力した前記データ転送パケットの差分により、前回の画像データを更新して前記ディスプレイへ出力すること
を特徴とする請求項１または請求項２に記載のＰＣ画像配信設備。
【請求項５】
前記受信機に、この受信機を前記ディスプレイの背面に固定する取付金具を設けたこと
を特徴とする請求項１〜請求項４のいずれかに記載のＰＣ画像配信設備。
【発明の詳細な説明】
【技術分野】
【０００１】
本発明は、１台のＰＣ（パソコン）により形成された画像を、離れた１台または複数のディスプレイ（モニター）へ表示できるように配信するＰＣ画像配信設備に関するものである。
【背景技術】
【０００２】
従来の上記ＰＣ画像配信設備の一例が、特許文献１に開示されている。
特許文献１には、複数の画像データを記憶し、モニター（液晶ディスプレイ）が接続された１台のＰＣと、モニターとタッチパネルから構成された複数の表示装置を設け、前記１台のＰＣに前記複数の表示装置をそれぞれ分配器により接続し、表示装置のタッチパネルの操作により選択されたＰＣの画像データ（ＰＣに記憶されている画像）をＰＣより配信し、全てのモニターに表示させる会議システムが開示されている。
【０００３】
また前記ＰＣには、初期画面の画像データ、会議の複数の発表者が予め入力する発表内容の画像データ（原稿や図表などのデータ）、画像データに付加する付加画像データ（「票決」の結果を示す画像データなど）を記憶する画像メモリと、この画像メモリに記憶された複数の画像データから画像データを選択するＣＰＵと、ＣＰＵの指令にしたがって選択した画像データを出力する画像コントローラが設けられており、ＰＣには実際に画像データを送信するために送信用ソフトウェアがインストールされている。
【０００４】
またＰＣ画像配信設備として、１台のＰＣから専用線を介してビデオ信号（アナログ信号）を複数のディスプレイへ配信するビデオ配信システムが有る。
さらに複数台のＰＣの画像を１台のＰＣに配信する設備として、複数台ＰＣをＫＶＭスイッチ（Keyboard/Video/Mouse switch）に接続し、複数台ＰＣによりそれぞれ形成された画像データを、前記ＫＶＭスイッチにより切り替えて、１台の受信側ＰＣへ配信するシステム（複数台ＰＣの画像集中管理設備）がある。
【特許文献１】特開２０００−２３１２８号公報
【発明の開示】
【発明が解決しようとする課題】
【０００５】
従来の会議システムでは、実際に画像データを送信するため、ＰＣには送信用ソフトウェアをインストールするとともに、面倒な設定を行う必要があるが、この送信用ソフトウェアは対応ＯＳが限定されるため、使用できるＰＣが限定されるという問題があった。また画像データを送信するとき、ＰＣは画像を送信するためのソフト処理を実行するために、ＣＰＵに負荷がかかり、ＰＣの処理速度が遅くなるという問題があった。
【０００６】
また従来のビデオ配信システムでは、送信される信号がビデオ信号（アナログ信号）であるために、配信する距離に限界があり、また配信する距離が長くなると信号が劣化するという問題があり、その結果、接続できるディスプレイの台数に制限があり、自由にディスプレイの台数を増やすことができないという問題があった。
【０００７】
また従来のＫＶＭスイッチを使用した複数台ＰＣの画像集中管理設備では、受信側ＰＣに画像を判断するソフトウェアをインストールする必要があり、またＫＶＭスイッチは、複数台のＰＣに対応する必要から価格が高くならざるを得ないという問題があった。
【０００８】
そこで、本発明は、ＰＣに画像の送受信に必要なソフトウェアのインストールが不要で動作環境を選ぶことなく、さらにＣＰＵに負荷をかけずに、ＰＣからディスプレイまでの距離を考慮することなく、接続できるディスプレイの台数に制限がなく、またＰＣから出力された画像データ（ディスプレイ用画像データ）を離れた１台または複数台のディスプレイに配信できる安価なＰＣ画像配信設備を提供することを目的としたものである。
【課題を解決するための手段】
【０００９】
前述した目的を達成するために、本発明のうち請求項１に記載の発明は、ＰＣから出力された画像データをケーブルを介して１台または複数のディスプレイに表示させるＰＣ画像配信設備であって、前記ＰＣおよび前記ケーブルに接続され、前記ＰＣから出力された画像データを、データ転送パケットに変換して前記ケーブルへ出力する送信機を備え、前記ディスプレイ毎に、前記ケーブルおよび前記ディスプレイに接続され、前記送信機よりケーブルを介して入力したデータ転送パケットを画像データに変換して前記ディスプレイ出力する受信機を備えることを特徴とするものである。
【００１０】
上記構成によれば、ＰＣに送信機を接続し、送信機をケーブルに接続し、受信機をケーブルに接続し、受信機にディスプレイを接続するだけで、ＰＣから出力された画像データが、ケーブルに接続された１台または複数台のディスプレイに表示される。このようにハード的に接続するだけで、直ぐにＰＣから出力された画像データを、１台または複数のディスプレイに表示できる。またＰＣに画像データを送るためのソフトウェアのインストールおよび設定を行う必要がなくなることにより、設備を構築するときＰＣの動作環境を考慮する必要を無くすことができる。さらに１台または複数台のディスプレイに画像を表示する際に、画像データの送信処理は送信機が行い、ＰＣ（ＣＰＵ）は送信処理を実行しないため、ＰＣに負荷が掛かることはなく、ＰＣの処理速度が低下することを防止することができる。またアナログの画像データを、ディジタルのデータ転送パケットに変換して出力することにより、従来５ｍ程度しか延長できなかった、ＰＣとディスプレイとの間の距離を、１００ｍ程度まで延長でき、デイジーチェーン機能やＨＵＢを使用することにより無制限に延長することができ、また１台しか接続できなかったディスプレイを制限なく接続することが可能となる。
【００１１】
また請求項２に記載の発明は、請求項１に記載の発明であって、前記送信機に、前記ＰＣから出力された画像データを表示する前記受信機または受信機群のアドレスを設定する設定スイッチを設け、前記受信機に、前記送信機から送信された画像データを受信するアドレスを設定する設定スイッチを設けたことを特徴とするものである。
【００１２】
上記構成によれば、ＰＣから出力された画像データは、送信機の設定スイッチにより設定された受信機または受信機群、すなわちディスプレイまたはディスプレイ群に表示される。よって、使用者は設定スイッチによってＰＣから出力された画像データを表示するディスプレイを自由に選択できる。また受信機の設定スイッチにより受信機に設定されたアドレスが、送信機の設定スイッチにより設定された受信機または受信機群のアドレスと一致するとき、この受信機に、ＰＣから出力された画像データが受信され、画像データがディスプレイに表示される。
【００１３】
また請求項３に記載の発明は、請求項１または請求項２に記載の発明であって、前記送信機に、前記ＰＣから出力された画像データをデータ転送パケットに変換するＦＰＧＡを設け、前記受信機に、前記送信機よりケーブルを介して入力したデータ転送パケットを画像データに変換するＦＰＧＡを設けたことを特徴とするものである。
【００１４】
上記構成によれば、送信機に設けたＦＰＧＡによりＰＣから出力された画像データはデータ転送パケットに変換され、受信機に設けたＦＰＧＡにより送信機よりケーブルを介して入力したデータ転送パケットは画像データに変換される。ＦＰＧＡを使用することにより任意に論理を書き込める利点がある。
【００１５】
また請求項４に記載の発明は、請求項１または請求項２に記載の発明であって、前記送信機は、データ転送パケットに変換する際に、入力した画像データが前回の画像データより変化した差分を求めデータ転送パケットとして出力し、前記受信機は、入力した前記データ転送パケットの差分により、前回の画像データを更新して前記ディスプレイへ出力することを特徴とするものである。
【００１６】
上記構成によれば、送信機より画像データが変化した差分データが送信されることにより送受信機間のデータ量を少なくでき、受信機ではデータ転送パケットの差分により前回の画像データを更新することにより、画像の更新速度を上げることができ、リアルタイムでの表示が可能となる。
【００１７】
また請求項５に記載の発明は、請求項１〜請求項４のいずれかに記載の発明であって、前記受信機に、この受信機を前記ディスプレイの背面に固定する取付金具を設けたことを特徴とするものである。
【００１８】
上記構成によれば、ディスプレイの周囲に場所をとることなく、受信機をディスプレイに設置でき、省スペースが実現される。
【発明の効果】
【００１９】
本発明のＰＣ画像配信設備は、ＰＣと送信機と受信機とディスプレイをハード的に接続するだけで、ＰＣから出力された画像データを、１台または複数のディスプレイに表示でき、またＰＣに、画像データを送るためのソフトウェアのインストールおよび設定を行う必要がなくなることにより、設備を構築するときＰＣの動作環境を考慮する必要を無くすことができ、さらに複数台のディスプレイに画像を表示する際に、画像データの送信処理は送信機が行い、ＰＣ（ＣＰＵ）は送信処理を実行しないため、ＰＣに負荷が掛かることはなく、ＰＣの処理速度が低下することを防止することができ、さらにアナログの画像データを、ディジタルのデータ転送パケットに変換して出力することにより、従来５ｍ程度しか延長できなかった、ＰＣとディスプレイとの間の距離を、１００ｍ程度まで延長でき、デイジーチェーン機能やＨＵＢを使用することにより無制限に延長することができ、また１台しか接続できなかったディスプレイを制限なく接続することができる、という効果を有している。
【発明を実施するための最良の形態】
【００２０】
以下、本発明の実施の形態を図面に基づいて説明する。
図１は本発明の実施の形態におけるＰＣ画像配信設備の構成図である。
ＰＣ画像送信側の機器として、画像を配信するＰＣ１と、このＰＣ１用のディスプレイ２と、送信機３が配置され、またＰＣ画像受信側の機器として、ＰＣ画像表示エリア４毎に、ＨＵＢ機能内蔵の受信機５とディスプレイ６が配置され、送信機３とＰＣ画像表示エリア４毎の受信機５は、ＬＡＮケーブル８によりデイジーチェーン接続されている。また送信機３と各受信機５にはそれぞれ、独自のマルチキャストアドレスが付されている。
【００２１】
ＰＣ画像送信側の接続は次のようにされている。
ＰＣ１のビデオコネクタ｛ＶＧＡコネクタまたはＤＶＩ（Digital Visual Interface）コネクタ；ディスプレイ出力用コネクタ｝１１と送信機３のＶＧＡコネクタ１２（またはＤＶＩコネクタ３８）がケーブル（例えばＶＧＡケーブル）１３により接続され、送信機３のモニターコネクタ（ＶＧＡコネクタまたはＤＶＩコネクタ）１４とディスプレイ２のモニターコネクタ（ＶＧＡコネクタまたはＤＶＩコネクタ）１５がケーブル（例えばＶＧＡケーブル）１６により接続されている。また送信機３のＬＡＮコネクタ１７に、前記ＬＡＮケーブル８が接続されている。
【００２２】
またＰＣ画像受信側の接続は次のようにされている。
ＰＣ画像表示エリア４毎に、受信機５のモニターコネクタ（ＶＧＡコネクタ）１８（またはＤＶＩコネクタ５７）とディスプレイ６のモニターコネクタ（ＶＧＡコネクタまたはＤＶＩコネクタ）１９がケーブル（例えばＶＧＡケーブル）２０により接続されている。また受信機５の第１ＬＡＮコネクタ２１と第２ＬＡＮコネクタ２２に、前記ＬＡＮケーブル８が接続されている。
［送信機３］
送信機３について、図２の外観斜視図および図３のブロック図に基づいて詳細に説明する。
【００２３】
図２において、３１は、図３のブロック図で表される機能を有する基板（図示せず）が内蔵された箱状のケースであり、このケース３１の上面に、上記ＶＧＡコネクタ１２と、上記ＤＶＩコネクタ３８と、ディジタル入出力用コネクタ３２と、８個のＬＥＤランプ３３と、６連のピアノスイッチからなる第１スイッチ３４と、１６ポジションを選択できるロータリスイッチからなる第２スイッチ（設定スイッチの一例）３５が設けられている。前記第２スイッチ３５のポジションは、マルチキャストで転送するためのアドレス（グループアドレスに相当）に対応している。またＬＥＤランプ３３は、電源の状態、ＬＡＮポートの通信状態、データ送信状態等を表示し、第１スイッチ３４は、後述する画像用メモリの初期化、データ送信の一時停止、メンテナンスモードへの切換などに使用される。
【００２４】
またケース３１の下面には、図示していないが、上記モニターコネクタ１４と、上記ＬＡＮコネクタ１７と、押釦スイッチからなる初期化（リセット）スイッチ３６（図３）が設けられている。またケース３１の前面および図示していないが後面に、ケース内で発生した熱を逃がすための孔３７が複数設けられている。
【００２５】
図３に示すように、ＶＧＡコネクタ１２（あるいはＤＶＩコネクタ３８）に、モニターコネクタ１４と、アナログの画像データをディジタルの画像データに変換するＡＤコンバータ４１が接続され、ＡＤコンバータ４１にＦＰＧＡ(Field Programmable Gate Array)４２（機能は後述する；ＦＰＧＡは任意に論理を書き込める利点を有している）が接続されている。また第１スイッチ３４と第２スイッチ３５と初期化（リセット）スイッチ３６がＦＰＧＡ４２に接続され、さらにディジタル入出力用コネクタ３２が入出力用ＴＴＬ４５を介してＦＰＧＡ４２に接続されている。また２画面分の画像データを記憶できる画像用メモリ４６がＦＰＧＡ４２に接続されている。
【００２６】
またＣＰＵ４８とそのメインメモリ４９がＦＰＧＡ４２に接続され、ＣＰＵ４８にＬＡＮコントローラ５０が接続され、このＬＡＮコントローラ５０にＬＡＮコネクタ１７が接続されている。
【００２７】
ＦＰＧＡ４２の機能を図４のフローチャートにしたがって説明する。なお、初期状態では画像用メモリ４６には画像データは記憶されていない状態（データ消去状態）にあるものとし、電源投入で配信が開始される。またＰＣ１より出力されたアナログの画像データは、送信機３内に取り込まれると、ＡＤコンバータ４１によりディジタルの画像データに変換され、ＦＰＧＡ４２へ取り込まれる。
【００２８】
送信機３に電源が投入されると、まず最新の画面の画像データを画像用メモリ４６に最新画像データとして取り込む（ステップ−１）。次に、画像用メモリ４６に記憶された最新画像データのＬＡＮパケット（データ転送パケットの一例）単位の画像データを読み出し（ステップ−２）、画像用メモリ４６に記憶された前回の画像データの同じアドレスのＬＡＮパケット単位の画像データを読み出し（ステップ−３）、両画像データの差分の有無を確認し（ステップ−４）、差分有りを確認すると、差分のデータを（あるいは差分のデータを圧縮して）、画面のＬＡＮパケット単位のアドレス、および第２スイッチ３５により設定されたマルチキャストアドレスを付してＬＡＮコントローラ５０に出力する（ステップ−５）。続いて、あるいはステップ−４において差分なしを確認したとき、１画面分の各ＬＡＮパケット単位の画像データの差分有無の確認が終了したかどうかを確認し（ステップ−６）、終了していないと、ステップ−２へ戻り、次の最新画像データのＬＡＮパケット単位の画像データを読み出し差分の有無を確認する。ステップ−６において、１画面分の確認が終了していると、画像用メモリ４６に記憶された最新画像データを、前回の画像データとし（ステップ−７）、ステップ−１へ戻る。なお、最初の画面の画像データの場合、画像用メモリ４６に比較する画像データが無いために、画像データがそのまま、差分データとして出力される。
【００２９】
そして、上記ＬＡＮコントローラ５０により、画面のＬＡＮパケット単位のアドレスおよびマルチキャストアドレスが付された差分の画像データがＬＡＮパケットとして出力される。
【００３０】
このように、送信機３は、ＰＣ１のビデオコネクタ１１から直接取り込んだディスプレイ用画像データ（ＰＣ１から出力された画像データ）を、ＦＰＧＡ４２によりＬＡＮパケットに変換してＬＡＮケーブル８へ出力している。
［受信機５］
受信機５について、図５の外観斜視図および図６のブロック図に基づいて詳細に説明する。
【００３１】
図５において、５１は、図６のブロック図で表される機能を有する基板（図示せず）が内蔵された箱状のケースであり、このケース５１の上面に、ディジタル入出力用コネクタ５６と、８個のＬＥＤランプ５２と、６連のピアノスイッチからなる第１スイッチ５３と、１６ポジションを選択できるロータリスイッチからなる第２スイッチ（設定スイッチの一例）５４が設けられている。この第２スイッチ５４のポジションにより、この受信機５にマルチキャストアドレスが設定される。前記ＬＥＤランプ５２は、電源の状態、ＬＡＮポートの通信状態、データ受信状態等を表示し、第１スイッチ５３は、後述する画像用メモリの初期化、メンテナンスモードへの切換などに使用される。
【００３２】
上記送信機３の第２スイッチ３５により設定されたマルチキャストアドレスと、受信機５の第２スイッチ５４により設定されたマルチキャストアドレスが一致すると、送信機３より送信された、ＰＣ１のディスプレイ用画像データが受信機５に受信される。この送信機３の第２スイッチ３５および受信機５の第２スイッチ５４の設定により、例えば送信機３に“０”が設定され、全ての受信機５に“０”が設定されると、送信機３より全ての受信機５へＰＣ１のディスプレイ用画像データが一斉配信され、また例えば送信機３に“１”が設定され、１台目と２台目の受信機５にのみ“１”が設定されると（他の受信機５に“１以外”が設定）、送信機３より１台目と２台目の受信機５に限定してディスプレイ用画像データが配信される。
【００３３】
またケース５１の下面には、図示していないが、上記モニターコネクタ１８と上記ＬＡＮコネクタ２１，２２とＤＶＩコネクタ５７（図６）が設けられている。またケース５１の前面および図示していないが後面に、ケース内で発生した熱を逃がすための孔５５が複数設けられている。
【００３４】
図６に示すように、第１ＬＡＮコネクタ２１にＬＡＮコントローラ６１が接続され、ＬＡＮコントローラ６１に第２ＬＡＮコネクタ２２と第２スイッチ５４とＣＰＵ６２が接続され、ＣＰＵ６２にそのメインメモリ６３とＦＰＧＡ(Field Programmable Gate Array)６４（機能は後述する；ＦＰＧＡは任意に論理を書き込める利点を有している）に接続され、ＦＰＧＡ６４に第１スイッチ５３と１画面分の画像データを記憶できる画像用メモリ６５とディジタルの画像データをアナログの画像データに変換するＤＡコンバータ６６が接続され、さらにＦＰＧＡ６４に入出力用ＴＴＬ６７を介してディジタル入出力用コネクタ５６が接続されている。ＤＡコンバータ６６にモニターコネクタ１８あるいはＤＶＩコネクタ５７が接続されている。
【００３５】
ＦＰＧＡ６４の機能を図７のフローチャートにしたがって説明する。なお、初期状態では画像用メモリ６５には画像データが記憶されていない状態（データ消去状態）にあるものとする。またＬＡＮコントローラ６１は、入力したＬＡＮパケットが自分のアドレスに送信されたものかを、第２スイッチ５４により設定されたマルチキャストアドレスとＬＡＮパケットに添付されたアドレスが一致するかどうかにより確認し、確認すると、上記アドレスが付されたＬＡＮパケット単位の差分の画像データを入力するものとする。
【００３６】
新たに送信機３からアドレス付きＬＡＮパケット単位の差分の画像データを入力すると（ステップ−１）、この差分の画像データにより、画像用メモリ６５に記憶された前回の画像データのうち、同じＬＡＮパケット単位アドレスの画像データを更新し（ステップ−２）、画像用メモリ６５に再記憶し（ステップ−３）、１画面分の差分の画像データの受信が終了したかどうかを確認し（ステップ−４）、終了していないとき、ステップ−１へ戻る。なお、最初の差分データの場合、（差分のない）画像データがそのまま送信されてきており、また画像用メモリ６５は画像データが記憶されていない状態（データ消去状態）にあるので、送信されてきた（差分のない）画像データがそのまま画像用メモリ６５に記憶される。
【００３７】
１画面分の差分の画像データの受信が終了すると、画像用メモリ６５に記憶された１画面分の画像データを読み出し（ステップ−５）、ＤＡコンバータ６６へ出力し（ステップ−６）、ステップ−１へ戻る。
【００３８】
ＤＡコンバータ６６より１画面の画像データがディスプレイ６へ出力され表示される。
このように、受信機５は、送信機３よりＬＡＮケーブル８を介して入力したＬＡＮパケットをＦＰＧＡ６４によりアナログの画像データに変換してディスプレイ６へ出力している。
【００３９】
上記構成による作用を説明する。
ＰＣ画面表示エリア４に、ディスプレイ６を設置し、敷設されているＬＡＮケーブル８に受信機５を取り付け、受信機５とディスプレイ６を、ケーブル２０により接続する。そして、受信機５の第２スイッチ５４により、受信機５毎にマルチキャストアドレスを設定する。
【００４０】
また送信機３をＬＡＮケーブル８に接続し、送信機３にＰＣ１をケーブル１３により接続し、さらに送信機３にＰＣ１用のディスプレイ２をケーブル１６により接続する。そして、送信機３の第２スイッチ３５により、マルチキャストアドレス、すなわちＰＣ１から出力される画像を送信するＰＣ画面表示エリア４（受信機５）を設定する。
【００４１】
このように接続と設定を実行した後、ＰＣ１は、通常のＰＣ１用のディスプレイ２に配信する画像を表示させる操作し、送信機３の電源を投入すると、このＰＣ１用のディスプレイ２に表示される画像が、送信機３に取り込まれ、ＰＣ１用のディスプレイ２に出力され表示されるとともに、送信機３の第２スイッチ３５により選択されたＰＣ画面表示エリア４（受信機５）へ送信され、この表示エリア４のディスプレイ６に、ＰＣ１用のディスプレイ２に表示された画像と同じ画像が表示される（配信される）。このとき、上述したように、設定された送信機３のマルチキャストアドレスと同じマルチキャストアドレスが設定された受信機５に対して画像が配信される。このようにＰＣ１の外部にあるハードウェア（送信機３）により画像データの配信が実行され、ＰＣ１には何ら負荷が掛かることはない。
【００４２】
またこのとき、最初の画像のデータを除いて、画像の差分データが求められ、差分データが（あるいは圧縮されて）送信されることにより、送信機３と受信機５間のデータ量が減少しており、画像の更新速度が上昇し、ほぼ同期して表示され、リアルタイムの画像表示が実現されている。
【００４３】
以上のように、本実施の形態によれば、設備の現場で、ＰＣ１のビデオコネクタ１１に送信機３を接続し、送信機３のＬＡＮコネクタ１７をＬＡＮケーブル８に接続し、受信機５のＬＡＮコネクタ２１，２２をＬＡＮケーブル８に接続し、受信機５にディスプレイ６を接続して電源を接続するだけで、ＰＣ１に画像データを送るための送信用ソフトウェアをインストールする必要なく、また何ら設定する必要なく（出荷時に設備に合わせて送信機３の第２スイッチ３５と各受信機５の第２スイッチ５４の設定を行うことは必要）、ＰＣ１から出力されたディスプレイ用画像をＬＡＮ経由で複数のディスプレイ６に表示させることができる。このように、ＰＣ１に送信用ソフトウェアのインストールおよび設定をする必要がなく、ソフトウェアが必要ないため、動作環境を選ぶ必要をなくすことができる。またＰＣ１は、画像を送信する処理を実行しないため、ＰＣ１（ＣＰＵ）に負荷を掛けることなく、さらに配信距離を考慮することなく、ＰＣ１より距離が離れた複数台のディスプレイ６に画像を表示させることができる。さらにアナログの画像データを、ディジタルのＬＡＮパケットに変換して出力することにより、従来５ｍ程度しか延長できなかった、ＰＣ１とディスプレイ６との間の距離を、１００ｍ程度まで延長でき、デイジーチェーン機能やＨＵＢを使用することにより無制限に延長することができ、また１台しか接続できなかったディスプレイ６を制限なく接続することができる。
また本実施の形態によれば、送信機３に設けた第２スイッチ（ロータリスイッチ）３５により選択したＰＣ画像表示エリア４のディスプレイ６に選択して画像を表示させることができ、また全てのＰＣ画像表示エリア４のディスプレイ６に一斉に画像を表示させる（一斉配信させる）ことができる。
【００４４】
また本実施の形態によれば、送信機３は画像データの変化した部分だけの差分のデータを求め（あるいはさらに圧縮して）送信することにより、送信機３と受信機５との間での伝送されるデータ量を減らすことができ、受信機５は差分のデータにより画像データを更新することにより画像の更新速度を上げることができ、リアルタイムでの表示を実現できる。
【００４５】
また本実施の形態によれば、送信機３は１台のＰＣ１に対応し、各受信機５は１台のディスプレイ６に対応する構成なことから、従来の複数台ＰＣに対応するＫＶＭスイッチを使用した複数台ＰＣの画像集中管理設備と比較して安価に構成することができる。
【００４６】
なお、本実施の形態では、１台のＰＣ１から複数のＰＣ画像表示エリア４に配置したディスプレイ６に画像を配信しているが、１台のＰＣ１から１箇所のＰＣ画像表示エリア４に配置した１台のディスプレイ６のみに画像を配信する設備とすることもできる。
【００４７】
また本実施の形態では、ＰＣ１用のディスプレイ２に出力した画像を、そのままＰＣ画面表示エリア４のディスプレイ６へ表示させているが、図８に示すように、ＰＣ１用のディスプレイ２に出力した複数の画像を、ＰＣ１において画像毎にそれぞれ分割して（あるいは分割・拡大して）ＰＣ１のＬＡＮコネクタ１０より出力し、ＰＣ画面表示エリア４のディスプレイ６に別々の画像を表示させるようにすることもできる。このとき、ＰＣ１にＦＰＧＡおよびＬＡＮコントローラ（いずれも図示せず）が設けられ、個々の画像が占める画面上のアドレスおよび各画像を送るＰＣ画像表示エリア４が設定され、ＬＡＮパケット単位の差分の画像データを作成した後、ＬＡＮパケット単位のアドレスと前記個々の画像が占める画面上のアドレスおよび画像を送るＰＣ画像表示エリア４の設定を確認し、差分の画像データに、設定されたマルチキャストアドレスを付して出力する。
【００４８】
また本実施の形態では、受信機５は直下に置いた状態としているが、図９に示すように、受信機５に、ブラケット｛ＶＥＳＡ規格７５ｍｍピッチ４点（７５×７５）に準拠したブラケット｝７１またはブラケット｛ＶＥＳＡ規格１００ｍｍピッチ４点（１００×１００）に準拠したブラケット｝７２を取り付け、図１０に示すように、受信機５をこれらブラケット７１または７２を介して直接、ＶＥＳＡ規格に準拠したディスプレイ６に取り付ける（例えば、ねじ止めする）ようにすることもできる。このようにブラケット７１または７２を設けることにより、省スペース化を図ることができる。
【００４９】
また本実施の形態では、送信機３から、ＰＣ１からのディスプレイ用画像データのみを受信機５へ送信しているが、ディジタル入出力用コネクタ３２より入力したディジタルのデータ、例えば、ディジタル入出力用コネクタ３２に接続したスイッチのオン・オフのデータをディスプレイ用画像データに添付して、受信機５へ送信するようにすることができる。したがって、受信機５側では、受信したディジタルのデータに基づいてシーケンスを実行できる。例えば、受信機５のディジタル入出力用コネクタ５６にランプを接続することにより、入力したスイッチのオン・オフのデータに従って、ＦＰＧＡ６４より入出力用ＴＴＬ６７、ディジタル入出力用コネクタ５６を介して前記ランプを点灯したり、消灯したりすることができる。
【００５０】
また本実施の形態では、複数の受信機５をデイジーチェーン接続しているが、一般ＬＡＮのＨＵＢを使用したスター接続とすることも可能である。
また本実施の形態では、ＬＡＮケーブル８に接続された受信機５にＰＣ１より画像を配信しているが、ＬＡＮを超えてインターネットに接続された受信機５に対してＰＣ１より画像を配信するようにすることもできる。このとき、送信機３の第２スイッチ３５の１つのポジションにインターネットに接続された受信機５のＭＡＣアドレスあるいはユニキャストとを割り付け、インターネットに接続された受信機５に対して画像を配信するとき、第２スイッチ３５をＭＡＣアドレスあるいはユニキャストを割り付けたポジションにセットする。
【図面の簡単な説明】
【００５１】
【図１】本発明の実施の形態におけるＰＣ画像配信設備の構成図である。
【図２】同ＰＣ画像配信設備の送信機の外形斜視図である。
【図３】同ＰＣ画像配信設備の送信機の制御ブロック図である。
【図４】同ＰＣ画像配信設備の送信機のＦＰＧＡのフローチャートである。
【図５】同ＰＣ画像配信設備の受信機の外形斜視図である。
【図６】同ＰＣ画像配信設備の受信機の制御ブロック図である。
【図７】同ＰＣ画像配信設備の受信機のＦＰＧＡのフローチャートである。
【図８】本発明の他の実施の形態におけるＰＣ画像配信設備の構成図である。
【図９】本発明の他の実施の形態における受信機の外形斜視図である。
【図１０】図９の受信機のディスプレイへの取付図である。
【符号の説明】
【００５２】
１    ＰＣ
２    ディスプレイ
３    送信機
４    ＰＣ画像表示エリア
５    受信機
６    ディスプレイ
８    ＬＡＮケーブル
１１  ＰＣのビデオコネクタ（ＶＧＡコネクタまたはＤＶＩコネクタ）
１２  送信機のＶＧＡコネクタ
１３  ＶＧＡケーブル
１４  送信機のモニターコネクタ（ＶＧＡコネクタまたはＤＶＩコネクタ）
１５  ディスプレイのモニターコネクタ（ＶＧＡコネクタまたはＤＶＩコネクタ）
１６  ＶＧＡケーブル
１７  送信機のＬＡＮコネクタ
１８  受信機のモニターコネクタ（ＶＧＡコネクタ）
１９  ディスプレイのモニターコネクタ（ＶＧＡコネクタＤＶＩコネクタ）
２０  ＶＧＡケーブル
２１  受信機の第１ＬＡＮコネクタ
２２  受信機の第２ＬＡＮコネクタ
３１，５１  ケース
３２，５６  ディジタル入出力用コネクタ
３３，５２  ＬＥＤランプ
３４，５３  第１スイッチ
３５，５４  第２スイッチ
３８，５７  ＤＶＩコネクタ
４１  ＡＤコンバータ
４２  ＦＰＧＡ
４５，６７  入出力用ＴＴＬ
４６  画像用メモリ
４８  ＣＰＵ
４９  メインメモリ
５０  ＬＡＮコントローラ
６１  ＬＡＮコントローラ
６２  ＣＰＵ
６３  メインメモリ
６４  ＦＰＧＡ
６５  画像用メモリ
６６  ＤＡコンバータ
７１，７２  ブラケット
【図１】
2008293224.tif 000003
【図２】
2008293224.tif 000004
【図３】
2008293224.tif 000005
【図４】
2008293224.tif 000006
【図５】
2008293224.tif 000007
【図６】
2008293224.tif 000008
【図７】
2008293224.tif 000009
【図８】
2008293224.tif 000010
【図９】
2008293224.tif 000011
【図１０】
2008293224.tif 000012